(57)【要約】【課題】担体の形状や胡粉下地の有無に関係なく彩色塗膜を採取することができる彩色塗膜採取法を提供する。【解決手段】担体１０の表面に施された彩色塗膜１２の表面に化繊紙１６を当てて膠液を塗布し、該膠液を前記彩色塗膜１２と前記化繊紙１６に染み込ませ、前記化繊紙１６の上から目の粗い天然繊維布１８を貼り付ける。その後、前記化繊紙１６及び前記天然繊維布１８を剥がすことにより前記彩色塗膜１２を前記担体１０から前記化繊紙１６に転移させる。【選択図】図４
2010058053.tif 000002
【特許請求の範囲】
【請求項１】
担体の表面に施された塗膜の表面に化繊紙を当てて膠液を塗布し、該膠液を前記彩色塗膜と前記化繊紙に染み込ませる工程と、
前記化繊紙の上から目の粗い天然繊維布を貼り付ける工程と、
前記化繊紙及び前記天然繊維布を剥がすことにより前記塗膜を前記担体から前記化繊紙に転移させる工程と
を備えることを特徴とする彩色塗膜採取法。
【請求項２】
前記塗膜を前記化繊紙に転移させた後、前記塗膜の裏面に定着液を塗布し、前記化繊紙及び前記天然繊維布と共に前記塗膜を転写台に貼り付ける工程と、
前記天然繊維布の上から湯をかけて前記化繊紙及び前記天然繊維布に染み込んだ膠液を融解させ、前記転写台に貼り付けられた前記塗膜から前記化繊紙及び前記天然繊維布を除去する工程と
をさらに備えることを特徴とする請求項１に記載の彩色塗膜採取法。
【請求項３】
前記塗膜の表面に前記化繊紙を当てて膠液を塗布する前に、前記塗膜を保護し、且つ、当該塗膜に前記膠液が染み込むことを許容するアクリル樹脂皮膜を形成することを特徴とする請求項１または２に記載の彩色塗膜採取法。
【請求項４】
前記化繊紙及び前記天然繊維布を剥がす作業は、前記化繊紙及び前記天然繊維布の乾燥後で且つ前記塗膜が乾燥する前に行うことを特徴とする請求項１〜３のいずれかに記載の彩色塗膜採取法。
【発明の詳細な説明】
【技術分野】
【０００１】
本発明は、担体の表面に形成された塗膜を採取する方法に関し、特には、寺社仏閣等の古い建造物の外壁や内壁、天井、彫刻等に施された装飾画や壁画等の彩色塗膜を採取する方法に関する。
【背景技術】
【０００２】
寺社等の古い建造物の多くは、その外壁や内壁、天井等に極彩色の装飾画が施されている。このような装飾画は、寺社等の建造当時の意匠や技法、画材等を伝える重要な資料となる。このため、寺社等の復旧工事や装飾画の復原工事の際には、装飾画の痕跡情報や彩色塗膜片を採取して分析調査が行われることが多い。
【０００３】
装飾画の彩色塗膜の多くは、当初の塗膜（当初塗膜）と、その上に後補により塗り重ねられた塗膜（表層塗膜）から構成されている。表層塗膜は当初塗膜に比べると史料価値が低いと考えられており、当初塗膜と表層塗膜からなる彩色塗膜の場合は、前記表層塗膜を掻き落とした後、当初塗膜の痕跡情報のみを採取して分析調査を行っている。
【０００４】
ところが、注意を払っていても表層塗膜を掻き落とすケレン等の用具により当初塗膜や素地材を傷付けてしまうおそれがある。また、史料価値の有無や高低は、当初塗膜か表層塗膜かの違いだけで簡単に決められるものではない。史料価値が無い、あるいは低いと判断された塗膜であっても、後年、史料価値が高まる可能性もある。しかし、いったん掻き落とされた表層塗膜は粉々になってしまい調査することができない。
【０００５】
これに対して、合成樹脂製の粘着剤付透明フィルムを用いて表層塗膜から当初塗膜までの全ての彩色塗膜を採取する方法が提案されている(特許文献１参照）。粘着剤付透明フィルムで剥ぎ取られた彩色塗膜は、同じく透明フィルムで裏打ちすることにより当初塗膜の裏面を観察可能な状態で保存することができる。
しかし、透明フィルムは剛性が高いため、装飾画が施された担体の表面が平坦ではない場合に前記透明フィルムを担体の表面に沿わせることができず、彩色塗膜をうまく剥ぎ取ることができない。また、現状の粘着剤の性能を考慮すると前記透明フィルムを用いて完全に彩色塗膜を剥ぎ取ることは難しい。
【０００６】
一方、極薄の楮紙を用いて彩色塗膜を剥ぎ取る方法も提案されている（非特許文献１参照）。しかし、非特許文献１に記載の方法は、担体に胡粉下地を施した上に着彩された彩色、且つ脆弱な塗膜を対象としており、担体に直接着彩された彩色や堅牢な塗膜を剥ぎ取ることは難しい。
【特許文献１】特開平11-139100号公報（[0010]）
【非特許文献１】山内 章 他、「解体修理における建造物装飾彩色の調査と資料化−彩色の剥ぎ取り処置−」、文化財保存修復学会第27回大会研究発表要旨集2005年  第162ページ
【発明の開示】
【発明が解決しようとする課題】
【０００７】
本発明はこのような課題を解決するための成されたものであり、その目的は、担体の形状や胡粉下地の有無、塗膜の堅牢程度におよそ関係なく塗膜を採取することができる彩色塗膜採取法を提供することである。
【課題を解決するための手段】
【０００８】
本発明に係る彩色塗膜採取法は、
a）担体の表面に施された塗膜の表面に化繊紙を当てて膠液を塗布し、該膠液を前記塗膜と前記化繊紙に染み込ませる工程と、
b）前記化繊紙の上から目の粗い天然繊維布を貼り付ける工程と、
c）前記化繊紙及び前記天然繊維布を剥がすことにより前記塗膜を前記担体から前記化繊紙に転移させる工程と
を備えることを特徴とする。
【０００９】
本発明の方法は、主に寺社仏閣などの古い建造物の内壁や外壁、天井に、膠と顔料を用いて描かれた装飾画の彩色塗膜を採取する方法として好適であるが、朱や丹などによる単色塗りや漆塗りなどの塗膜を採取する方法としても有用である。また、状態によって合成樹脂塗装の塗膜を採取する方法にも適用できる。
従って、本発明の担体には、上記した建造物の内壁や外壁、天井の他、木箱の外面、彫刻などが含まれる。
前記化繊紙は、塗膜と天然繊維布とを密着させるための繋ぎ部材として用いられ、例えばレーヨン繊維製の紙、ポリエステル繊維製の紙がある。
前記天然繊維布は膠液が浸透し易く且つ頑丈なものが良く、例えば寒冷紗などの布目の粗い綿布等が好ましい。布目が粗い天然繊維布は担体の形状に沿わせ易いというメリットもある。
【００１０】
本発明に係る彩色塗膜採取法は、前記塗膜を前記化繊紙に転移させた後、前記塗膜の裏面に定着液を塗布又は噴霧し、前記化繊紙及び前記天然繊維布と共に前記塗膜を転写台に貼り付ける工程と、前記天然繊維布の上から湯をかけて前記化繊紙及び前記天然繊維布に染み込んだ膠液を融解させ、前記転写台に貼り付けられた前記塗膜から前記化繊紙及び前記天然繊維布を除去する工程をさらに備えるようにしても良い。これらの工程は、採取した塗膜を保存する工程である。
【発明の効果】
【００１１】
本発明の彩色塗膜採取法は、担体から塗膜を引き剥がすための接着材料として主に膠を用いたため、塗膜の色味を損なうことがない。また、塗膜に膠を染み込ませて半乾燥させた後、担体から引き剥がすようにしたため、担体を損傷することがなく、しかも、担体に塗膜がほとんど残らない状態で当該彩色塗膜を引き剥がすことができる。このため、塗膜の裏面(担体に密着していた面)の図柄も観察できる。
さらに、本発明に係る彩色塗膜採取法では、採取された塗膜を転写台等に貼り戻し、保存処理をすることにより前記塗膜の図柄等をそのままの状態で保持することができる。
【発明を実施するための最良の形態】
【００１２】
本発明の彩色塗膜採取法のいくつかの実施例について図面を参照しながら説明する。
【実施例１】
【００１３】
ここでは、図１に示すような矩形板状の担体１０上に、膠と顔料を用いて描かれた装飾画の彩色塗膜１２を採取する作業を例に挙げて説明する。
まず、作業を行う前に、柔らかい刷毛などを用いて彩色塗膜１２の表面から埃を取り除く。続いて、装飾画の現状調査を行う。この調査では、彩色塗膜１２の状態、例えば層状か粉状か、剥落の有無、褪色等の劣化状況を確認する。そして、調査結果に基づき、次に行う作業の手順や仕様を決定する。なお、作業手順や仕様を決定した後は、処理対象となる彩色塗膜の一部で試験を行い、問題がなければ決定した作業手順、仕様で塗膜採取作業を開始する。
【００１４】
塗膜採取作業では、まず初めに、彩色塗膜１２の表面にアクリル樹脂皮膜１３（図４参照）を形成する（図１）。
このアクリル樹脂皮膜１３の形成は彩色塗膜１２が初（うぶ）の場合や後述する熱湯掛け(図８参照)の際に塗膜１２が崩れて流れてしまうことがないと見込まれる場合に行う。「彩色塗膜が初(うぶ)」とは、装飾画が後年、補修されておらず、彩色塗膜１２の表面に樹脂皮膜が何も形成されていない状態をいう。装飾画の表面に樹脂皮膜などが確認される場合はアルカリ樹脂皮膜は形成しない。
【００１５】
アクリル樹脂皮膜１３は、彩色塗膜１２の表面にアクリル樹脂溶液を刷毛で塗布し、乾燥させることにより形成する。アクリル樹脂溶液の塗布は、担体１０が露出しているところをできるだけ避けて行う。アクリル樹脂皮膜１３は、彩色塗膜１２の表面に耐水性を持たせて該彩色塗膜１２を保護することを主な目的として形成するが、完全に水を弾く程度の耐水性は必要ない。後述するように、皮膜１３膠液が彩色塗膜１２に染み込むことを完全に妨げることがないよう、アルカリ樹脂溶液は多少の隙間が存在するように粗く塗布する。
アクリル樹脂溶液は、アクリル樹脂45％溶液と水を、体積比１：２〜１：３で混合したおよそ15〜11％の濃度の溶液を用いる。アクリル樹脂溶液は、必要な耐水性の程度を考慮し、塗膜１２の表面に艶を与えないような濃度に調製する。
【００１６】
次に、彩色塗膜１２の表面に化繊紙１６を当て、この化繊紙１６の上から、担体１０が露出しているところをできるだけ避けて膠液を塗布する(図２)。膠液は、化繊紙１６と彩色塗膜１２の両方に染み込ませるように塗布する。
なお、実際は化繊紙１６で覆われた後の彩色塗膜１２は外部から見えないが、説明の便宜上、彩色塗膜１２が見えている状態で図２を描いている。以下の説明で用いる他の図３〜５、７、８でも同様である。
前記化繊紙１６は、次の工程で用いる綿布１８と彩色塗膜１２を密着させるための繋ぎ部材として用いられる。化繊紙１６としては例えばレーヨン繊維やポリエステル繊維の紙を用いることができる。彩色塗膜１２の剥離状態(採取のやり易さなど)に応じて適宜の化繊紙１６を使い分けることが好ましく、例えば塗膜１２がやや堅牢な場合は引張強度が高いポリエステル繊維製の化繊紙を使用すると良い。
前記膠液は水90ccに対し膠10〜15gを溶かし込むことにより生成する。膠液の濃度は彩色塗膜１２の状態や浸透性を考慮して調整する。膠は精製処理された接着力のあるものを用いる。
【００１７】
続いて、化繊紙１６よりも引張強度が大きく布目が粗い例えば寒冷紗等の綿布１８を膠液が塗布された化繊紙１６の上に当てる。そして、前記綿布１８に前記膠液を塗布し、当該綿布１８、化繊紙１６、彩色塗膜１２に膠液を染み込ませる(図３)。
図４は、化繊紙１６及び綿布１８の貼り付けが完了した状態を示し、（a）は平面図、（ｂ）は断面図である。図４（ｂ）に示すように、彩色塗膜１２の表面にはアルカリ樹脂皮膜１３、膠成分１４、化繊紙１６、綿布１８が積層された状態となっている。
【００１８】
図４に示す状態で暫く放置した後、彩色塗膜１２の表面から綿布１８までが乾燥し、彩色塗膜１２が乾燥していない状態（半乾燥状態）になった頃を見計らって、化繊紙１６と綿布１８を引き寄せて担体１０から彩色塗膜１２を剥ぎ取る(図５)。
このとき、彩色塗膜１２の剥ぎ取りが不十分な箇所については、その箇所の表面に膠液を塗布して化繊紙１６、綿布１８を当て戻し、ドライヤーなどで乾燥を促進させてから再度、剥ぎ取る。
剥ぎ取った彩色塗膜１２の表面は化繊紙１６及び綿布１８で覆われているが、裏面は何にも覆われておらず、観察可能である。従って、彩色塗膜１２の裏面の図柄を観察したり、裏面付近の彩色塗膜１２の痕跡情報を採取する場合はこの段階で行う。彩色塗膜１２裏面の痕跡確認用に保存する場合には、彩色塗膜１２の裏面に濃度を調整した膠液を含浸及び注入し、定着させる。痕跡確認用の保存品は後述する転写台２２や和紙に貼り付けたり裏打ちしたりする必要はない。ただし、痕跡確認用の保存品を展示したり携帯用に用いたりする場合は板状部材に仮止めすることも可能である。
【００１９】
この後、剥ぎ取った塗膜１２の裏面に定着液２２を塗布する（図６）。定着液には、例えば速乾性のある酢酸ビニール系接着剤に15％濃度のアクリル樹脂溶液を混合し、筆運びが良い濃度に調製したものを用いる。定着液を塗布した彩色塗膜１２は、転写台２２や和紙等に貼り付け、乾燥定着させる(図７)。
【００２０】
続いて、転写台２２に貼り付けられた彩色塗膜１２の表面を覆う綿布１８の上から熱湯を十分に掛けて(図８)、膠液を液状に戻す。このとき、彩色塗膜１２の表面がアクリル樹脂皮膜１３で覆われているため、彩色塗膜１２を熱湯から保護することができる。続いて、綿布１８と化繊紙１６を液状に戻った膠液と共に取り除き、乾燥させる（図９）。
【００２１】
転写台２０に貼り付けた彩色塗膜１２の定着を確認する。塗膜１２が確実に定着していない場合は、膠液による剥落止めを行い、仕上げる。
剥落止めは、例えば彩色塗膜１２が浮き上がってできた転写台２０と彩色塗膜１２との隙間から細筆で膠液を注入し、彩色塗膜１２が少し柔らかくなった時点で当該塗膜１２を押さえ込むことにより行う。剥落止めを行う際は、彩色塗膜１２の周辺に布海苔液を塗布し、塗膜からはみ出す膠液を薄める。これにより、塗膜からはみ出す膠液の樹脂分による艶や濡れ色(明度が下がり、暗くなる状態）を予防する。
剥落止めのために塗膜１２を押さえ込む際は、塗膜１２の表面に化繊紙を当てがい、吸い取り紙で余分な膠液を吸い取りながら行う。化繊紙を当てがうことにより、塗膜１２が吸い取り紙に貼り付くことを防止できる。
【００２２】
剥落止めの作業は、膠染みなどがないかを確認しながら彩色塗膜１２が転写台２０に確実に定着するまで繰り返し行う。
剥落止めに用いる膠液は、例えば水90ccに精製処理されていない膠9gを溶かし込み、醗酵膠を適量(10％未満)加えたものを用いる。醗酵膠とは、膠液を溜め置きし醗酵させたものをいう。
布海苔液は水1000ccに真布海苔5gを煮込み、漉したものを用いる。
図１０に、定着液２２を介して彩色塗膜１２が転写台２０に貼り付けられた状態（完成状態）を示す。彩色塗膜１２はこの状態で保存される。
【実施例２】
【００２３】
実施例２は、図１１に示すような半球状の容器状の担体３０上に顔料を用いて描かれた彫刻彩色等、隆起する曲面上の彩色塗膜１２を採取する作業を例に挙げて説明する。なお、実施例１と同一部分には同一符号を付し、詳しい説明は省略する。
まず、実施例１と同様、作業を行う前に柔らかい刷毛などを用いて彩色塗膜１２の表面から埃を取り除き、彫刻彩色の現状調査を行う。
つづいて、彩色塗膜１２の表面にアクリル樹脂皮膜１３（図１４参照）を形成する（図１１）。ここでも、アクリル樹脂皮膜１３の形成は彩色塗膜１２が初（うぶ）の場合や後述する熱湯掛け(図８参照)の際に塗膜１２が崩れて流れてしまうことがないと見込まれる場合に行う。
【００２４】
次に、彩色塗膜１２の表面に化繊紙１６を当て、この化繊紙１６の上から、担体１０が露出しているところをできるだけ避けて膠液を塗布する(図１２)。ここでは、担体１０の表面が曲面であるため、化繊紙１６として複数の短冊状の紙片を用い、これら複数の短冊状の紙片が担体１０表面を覆うようにする。
【００２５】
続いて、化繊紙１６よりも引張強度が大きく布目が粗い例えば寒冷紗等の綿布１８を膠液が塗布された化繊紙１６の上に当てる。化繊紙１６同様、綿布１８には複数の短冊状の布片を用いる。そして、前記綿布１８に前記膠液を塗布し、当該綿布１８、化繊紙１６、彩色塗膜１２に膠液を染み込ませる(図１３)。
図１４は、化繊紙１６及び綿布１８の貼り付けが完了した状態を示し、（a）は斜視図、（ｂ）は断面図である。図１４（ｂ）に示すように、彩色塗膜１２の表面にはアルカリ樹脂皮膜１３、膠成分１４、化繊紙１６、綿布１８が積層された状態となっている。
【００２６】
図１４に示す状態で暫く放置した後、彩色塗膜１２の表面から綿布１８までが乾燥し、彩色塗膜１２が半乾燥状態になった頃を見計らって、化繊紙１６と綿布１８を引き寄せて担体１０から彩色塗膜１２を剥ぎ取る(図１５)。このように、実施例２では、剥ぎ取った彩色塗膜１２、アルカリ樹脂皮膜１３、膠成分１４、化繊紙１６、綿布１８の積層物３２は担体３０の表面形状に沿う形状（半球状の容器状）となる。
剥ぎ取った彩色塗膜１２の表面は化繊紙１６及び綿布１８で覆われているが、裏面は何にも覆われておらず、観察可能である。従って、実施例においても、彩色塗膜１２の裏面の図柄を観察したり、裏面付近の彩色塗膜１２の痕跡情報を採取することができる。
【００２７】
この後、剥ぎ取った積層物３２の裏面全体に定着液２２を用いて短冊状の和紙３４を貼り付ける（図１６）。定着液には、例えば速乾性のある酢酸ビニール系接着剤に15％濃度のアクリル樹脂溶液を混合し、筆運びが良い濃度に調製したものを用いる。和紙３４は積層物３２の裏面の隆起に馴染ませるようにして貼り付け、乾燥定着させる。この和紙３４が転写台となる。
【００２８】
次に、和紙３４に貼り付けられた彩色塗膜１２の表面を覆う綿布１８の表面から熱湯を十分に掛けて(図１７)、綿布１８と化繊紙１６、また液状に戻った表面の膠液と共に取り除き、乾燥させる（図１８）。
そして、和紙３４に貼り付けた彩色塗膜１２の定着を確認する。塗膜１２が確実に定着していない場合は、膠液による剥落止めを行い、仕上げる。
【図面の簡単な説明】
【００２９】
【図１】本発明の実施例１に係る彩色塗膜採取法のアクリル樹脂被膜形成工程を示す説明図。
【図２】化繊紙の貼り付け工程を示す説明図。
【図３】天然繊維布の貼り付け工程を示す説明図。
【図４】化繊紙及び天然繊維布の貼り付けが完了した状態を示す説明図であり、（ａ)は平面図、（ｂ）は断面図。
【図５】塗膜の引き剥がし工程を示す説明図。
【図６】塗膜の裏面への定着液の塗布工程を示す説明図。
【図７】転写台への塗膜の貼り付け工程を示す説明図。
【図８】天然繊維布に湯を掛ける工程を示す説明図。
【図９】化繊紙及び天然繊維布の除去作業を示す説明図。
【図１０】転写台に対する塗膜の貼り付け完了状態を示す説明図であり、（ａ)は平面図、（ｂ）は断面図。
【図１１】本発明の実施例２に係る彩色塗膜採取法のアクリル樹脂被膜形成工程を示す説明図。
【図１２】化繊紙の貼り付け工程を示す説明図。
【図１３】天然繊維布の貼り付け工程を示す説明図。
【図１４】化繊紙及び天然繊維布の貼り付けが完了した状態を示す説明図であり、(ａ）は斜視図、（ｂ）は断面図。
【図１５】塗膜の引き剥がし工程を示す説明図。
【図１６】塗膜の裏面に和紙を貼り付け工程を示す説明図であり、(ａ)は一部破断斜視図、（ｂ）は断面図。
【図１７】天然繊維布に湯を掛ける工程を示す説明図。
【図１８】化繊紙及び天然繊維布の除去作業を示す説明図。
【図１９】和紙に対する塗膜の貼り付け完了状態を示す説明図であり、(ａ)は斜視図、（ｂ）は断面図。
【符号の説明】
【００３０】
１０、３０…担体
１２…彩色塗膜
１３…アクリル樹脂皮膜
１４…膠成分
１６…化繊紙
１８…綿布（天然繊維布）
２０…転写台
２２…定着液
３２…積層物
３４…和紙
【図１】
2010058053.tif 000003
【図２】
2010058053.tif 000004
【図３】
2010058053.tif 000005
【図４】
2010058053.tif 000006
【図５】
2010058053.tif 000007
【図６】
2010058053.tif 000008
【図７】
2010058053.tif 000009
【図８】
2010058053.tif 000010
【図９】
2010058053.tif 000011
【図１０】
2010058053.tif 000012
【図１１】
2010058053.tif 000013
【図１２】
2010058053.tif 000014
【図１３】
2010058053.tif 000015
【図１４】
2010058053.tif 000016
【図１５】
2010058053.tif 000017
【図１６】
2010058053.tif 000018
【図１７】
2010058053.tif 000019
【図１８】
2010058053.tif 000020
【図１９】
2010058053.tif 000021
【手続補正書】
【提出日】平成21年7月1日(2009.7.1)
【手続補正１】
【補正対象書類名】明細書
【補正対象項目名】００１４
【補正方法】変更
【補正の内容】
【００１４】
塗膜採取作業では、まず初めに、彩色塗膜１２の表面にアクリル樹脂皮膜１３（図４参照）を形成する（図１）。
このアクリル樹脂皮膜１３の形成は彩色塗膜１２が初（うぶ）の場合や後述する熱湯掛け(図８参照)の際に塗膜１２が崩れて流れてしまうことが見込まれる場合に行う。「彩色塗膜が初(うぶ)」とは、装飾画が後年、補修されておらず、彩色塗膜１２の表面に樹脂皮膜が何も形成されていない状態をいう。装飾画の表面に樹脂皮膜などが確認される場合はアクリル樹脂皮膜は形成しない。
【手続補正２】
【補正対象書類名】明細書
【補正対象項目名】００１５
【補正方法】変更
【補正の内容】
【００１５】
アクリル樹脂皮膜１３は、彩色塗膜１２の表面にアクリル樹脂溶液を刷毛で塗布し、乾燥させることにより形成する。アクリル樹脂溶液の塗布は、担体１０が露出しているところをできるだけ避けて行う。アクリル樹脂皮膜１３は、彩色塗膜１２の表面に耐水性を持たせて該彩色塗膜１２を保護することを主な目的として形成するが、完全に水を弾く程度の耐水性は必要ない。後述するように、皮膜１３膠液が彩色塗膜１２に染み込むことを完全に妨げることがないよう、アクリル樹脂溶液は多少の隙間が存在するように粗く塗布する。
アクリル樹脂溶液は、アクリル樹脂45％溶液と水を、体積比１：２〜１：３で混合したおよそ15〜11％の濃度の溶液を用いる。アクリル樹脂溶液は、必要な耐水性の程度を考慮し、塗膜１２の表面に艶を与えないような濃度に調製する。
【手続補正３】
【補正対象書類名】明細書
【補正対象項目名】００１７
【補正方法】変更
【補正の内容】
【００１７】
続いて、化繊紙１６よりも引張強度が大きく布目が粗い例えば寒冷紗等の綿布１８を膠液が塗布された化繊紙１６の上に当てる。そして、前記綿布１８に前記膠液を塗布し、当該綿布１８、化繊紙１６、彩色塗膜１２に膠液を染み込ませる(図３)。
図４は、化繊紙１６及び綿布１８の貼り付けが完了した状態を示し、（a）は平面図、（ｂ）は断面図である。図４（ｂ）に示すように、彩色塗膜１２の表面にはアクリル樹脂皮膜１３、膠成分１４、化繊紙１６、綿布１８が積層された状態となっている。
【手続補正４】
【補正対象書類名】明細書
【補正対象項目名】００２３
【補正方法】変更
【補正の内容】
【００２３】
実施例２は、図１１に示すような半球状の容器状の担体３０上に顔料を用いて描かれた彫刻彩色等、隆起する曲面上の彩色塗膜１２を採取する作業を例に挙げて説明する。なお、実施例１と同一部分には同一符号を付し、詳しい説明は省略する。
まず、実施例１と同様、作業を行う前に柔らかい刷毛などを用いて彩色塗膜１２の表面から埃を取り除き、彫刻彩色の現状調査を行う。
つづいて、彩色塗膜１２の表面にアクリル樹脂皮膜１３（図１４参照）を形成する（図１１）。ここでも、アクリル樹脂皮膜１３の形成は彩色塗膜１２が初（うぶ）の場合や後述する熱湯掛け(図８参照)の際に塗膜１２が崩れて流れてしまうことが見込まれる場合に行う。
【手続補正５】
【補正対象書類名】明細書
【補正対象項目名】００２５
【補正方法】変更
【補正の内容】
【００２５】
続いて、化繊紙１６よりも引張強度が大きく布目が粗い例えば寒冷紗等の綿布１８を膠液が塗布された化繊紙１６の上に当てる。化繊紙１６同様、綿布１８には複数の短冊状の布片を用いる。そして、前記綿布１８に前記膠液を塗布し、当該綿布１８、化繊紙１６、彩色塗膜１２に膠液を染み込ませる(図１３)。
図１４は、化繊紙１６及び綿布１８の貼り付けが完了した状態を示し、（a）は斜視図、（ｂ）は断面図である。図１４（ｂ）に示すように、彩色塗膜１２の表面にはアクリル樹脂皮膜１３、膠成分１４、化繊紙１６、綿布１８が積層された状態となっている。
【手続補正６】
【補正対象書類名】明細書
【補正対象項目名】００２６
【補正方法】変更
【補正の内容】
【００２６】
図１４に示す状態で暫く放置した後、彩色塗膜１２の表面から綿布１８までが乾燥し、彩色塗膜１２が半乾燥状態になった頃を見計らって、化繊紙１６と綿布１８を引き寄せて担体１０から彩色塗膜１２を剥ぎ取る(図１５)。このように、実施例２では、剥ぎ取った彩色塗膜１２、アクリル樹脂皮膜１３、膠成分１４、化繊紙１６、綿布１８の積層物３２は担体３０の表面形状に沿う形状（半球状の容器状）となる。
剥ぎ取った彩色塗膜１２の表面は化繊紙１６及び綿布１８で覆われているが、裏面は何にも覆われておらず、観察可能である。従って、実施例においても、彩色塗膜１２の裏面の図柄を観察したり、裏面付近の彩色塗膜１２の痕跡情報を採取することができる。